(57)【要約】      （修正有）【課題】錠剤を切断する際に切刃の進行を安定させて、正確な使用量の錠剤を得ることができる錠剤カット用ハサミを提供する。【解決手段】錠剤カット用ハサミ１は、一対の鋏片２の軸心を挟んで、一端側に一対の柄部３、他端側に一対の刃部４を備える。各刃部４の第一の切り欠き部６１及び第二の切り欠き部６２以外の部分に、鋏片２の軸心Ｊ側の第一の切断部５１と、刃部４の先端４１側の第二の切断部５２とを形成して、各第一の切断部５１及び各第二の切断部５２の閉方向側に、切刃８を設ける。各切刃８の刃先８１を、刃部４の先端４１側から見た断面において、鋭角に形成するともに、各刃先８１の頂部を一対の鋏片２が閉時において対向した位置に形成する。【選択図】図１
0003165560.tif 000002
【実用新案登録請求の範囲】
【請求項１】
一対の鋏片が、開閉可能に軸支され、
一対の前記鋏片の軸心を挟んで、一端側に一対の柄部と、他端側に一対の刃部と、を備えた錠剤カット用ハサミであって、
各前記刃部は、前記鋏片の峰側から見て対向する前記刃部側に向かって屈曲する屈曲部を有し、
一対の前記刃部が、一対の前記鋏片の開閉方向から見て重なり合うように形成されるとともに、前記刃部の先端側から見た断面において一対の前記刃部が、互いに対向するように形成され、
一対の前記鋏片が閉時において、一対の前記刃部間に隙間が形成され、
一対の前記刃部の少なくとも一方には、切刃が形成されていることを特徴とする錠剤カット用ハサミ。
【請求項２】
各前記刃部に切刃が形成され、
各前記切刃の刃先が、前記刃部の先端側から見た断面において、鋭角に形成されるともに、各前記刃先の頂部が一対の前記鋏片が閉時において対向した位置に形成されていることを特徴とする請求項１記載の錠剤カット用ハサミ。
【請求項３】
各前記刃部が、前記切刃側から峰側に向かって切り欠かれた切り欠き部を有し、前記刃部の該切り欠き部以外の部分に、錠剤のサイズに応じた大きさに前記切刃が形成されていることを特徴とする請求項２記載の錠剤カット用ハサミ。
【請求項４】
前記柄部が、前記鋏片に対して着脱可能に形成され、
一対の前記鋏片の閉時において、互いに当接するように突出する一対の凸部が、各前記柄部の対向する側に前記凸部を形成することにより形成されていることを特徴とする請求項１、２又は３記載の錠剤カット用ハサミ。
【請求項５】
一対の前記鋏片の閉時において、互いに当接するように突出する一対の突片部が、各前記刃部の対向する側に前記突片部を形成することにより形成されていることを特徴とする請求項１、２又は３記載の錠剤カット用ハサミ。
【考案の詳細な説明】
【技術分野】
【０００１】
本考案は、錠剤を使用量に応じて正確に切ることができる錠剤カット用ハサミに関するものである。
【背景技術】
【０００２】
従来、錠剤切断用鋏として、特許文献１に記載されたものがあった。これによると、錠剤切断用鋏は、支点を挟んで回動可能な鋼製の一対の刃部及び作用点部と、一対の刃部の先端の対向位置に一対の切刃と、一対の作用点部の対称位置に一対の指輪とを備えていた。そして、一対の刃部及び作用点部の閉位置において一対の切刃先端間に一定間隔の間隙を保持可能としていた。
【先行技術文献】
【特許文献】
【０００３】
【特許文献１】登録実用新案第３０２７７３２号公報
【考案の概要】
【考案が解決しようとする課題】
【０００４】
しかし、上記に示す従来の錠剤切断用鋏は、片刃で同じ傾斜角度α、βの一対のテーパ状切刃を備えているが、刃部の先端側から見た場合に刃部が対向する位置にないため、錠剤を切断する際に切刃の進行が安定せず、切り口がランダムになるという問題があった。
【０００５】
本考案は、上記事情に鑑み、錠剤を切断する際に切刃の進行を安定させて、正確な使用量の錠剤を得ることができる錠剤カット用ハサミを提供することを目的とする。
【課題を解決するための手段】
【０００６】
請求項１記載の考案の錠剤カット用ハサミでは、各刃部を、鋏片の峰側から見て対向する刃部側に向かって屈曲する屈曲部を有するようにして、一対の刃部を、一対の鋏片の開閉方向から見て重なり合うように形成するとともに、刃部の先端側から見た断面において一対の刃部を、互いに対向するように形成して、一対の鋏片が閉時において、一対の刃部間に隙間を形成して、一対の刃部の少なくとも一方に切刃を形成している。これにより、一対の刃部の互いに対向する側が錠剤切断時に平行に近くなるとともに、刃部が一対の鋏片の開閉方向から見て重なり合う状態となり、切刃の進行方向が、刃部の先端側から見た断面において各刃部を厚さ方向で二分割する中心線と同一線上又は中心線に沿った線上となる。よって、錠剤を切断する際に切刃の進行が安定するので、正確な使用量の錠剤を得ることができる。
【０００７】
請求項２記載の考案の錠剤カット用ハサミでは、各刃部に切刃を形成して、各切刃の刃先を、刃部の先端側から見た断面において、鋭角に形成するともに、各刃先の頂部を一対の鋏片が閉時において対向した位置に形成している。これにより、各切刃の刃先の頂部の進行方向が、刃部の先端側から見た断面において各切刃を厚さ方向で二分割する中心線と、同一線上又は中心線に沿った線上となるので、錠剤をより正確にカットでき、より正確な使用量の錠剤を得ることができる。
【０００８】
請求項３記載の考案の錠剤カット用ハサミでは、各刃部が、切刃側から峰側に向かって切り欠かれた切り欠き部を有し、刃部の切り欠き部以外の部分に、錠剤のサイズに応じた大きさに切刃を形成することで、錠剤のサイズに応じた適切なカットを可能としている。
【０００９】
請求項４記載の考案の錠剤カット用ハサミでは、柄部を、鋏片に対して着脱可能に形成して、一対の鋏片の閉時において、互いに当接するように突出する一対の凸部を、各柄部の対向する側に凸部を形成することにより形成している。これにより、一対の刃部間の隙間を確保することができる。また、突出量の違う凸部を有した柄部と交換することで、錠剤のサイズに応じて刃部間の隙間を調節可能となる。
【００１０】
請求項５記載の考案の錠剤カット用ハサミのように、一対の鋏片の閉時において、一対の前記鋏片の閉時において、互いに当接するように突出する一対の突片部を、各刃部の対向する側に突片部を形成することにより、一対の刃部間の隙間を確保するようにしてもよい。
【考案の効果】
【００１１】
錠剤を切断する際に切刃の進行を安定させて、正確な使用量の錠剤を得ることができる。
【図面の簡単な説明】
【００１２】
【図１】本考案の第１の実施形態の錠剤カット用ハサミの正面図である。
【図２】図１における（ａ）はＲ側から見た側面図であり、（ｂ）はＬ側から見た側面図である。
【図３】図１のＳ−Ｓ部位の断面図である。
【図４】図１のＳ−Ｓ部位の変形例の（ａ）は断面図であり、（ｂ）は分包袋入りの錠剤をカットする状態図である。
【図５】本考案の第２の実施形態の錠剤カット用ハサミの正面図である。
【考案を実施するための形態】
【００１３】
本考案の錠剤カット用ハサミの第１の実施形態について図面に基づいて説明する。以下の説明では、図１における上下を上下方向（長さ方向）とし、ＬＲ方向を左右方向(幅方向)とする。図２における上下を厚さ方向とする。
【００１４】
錠剤カット用ハサミ（以下、「ハサミ」という。）１は、図１に示すように、一対の鋏片２が、開閉可能に軸支され、一対の鋏片２の軸心Ｊを挟んで、一端側に各鋏片２に対して着脱可能な一対の柄部３と、他端側に一対の刃部４と、を備えて構成されている。
【００１５】
各鋏片２は、図１、２に示すように、金属製で平板状に形成され、略中央部で刃裏側を対向するように軸７によって軸支されている。鋏片２の軸心Ｊより上側は、他の部分より幅が小さく、柄部３と着脱可能に形成された着脱部２１を有している。着脱部２１は、左右方向に幅が広く形成された係止部２２を有している。一対の鋏片２の軸心Ｊ周辺の刃裏側の面は、互いに摺接可能な摺接面１０として形成されている。
【００１６】
各柄部３は、図１に示すように、合成樹脂製で指が挿入される指穴３１を有して略楕円環状に形成されている。各柄部３は、鋏片２の着脱部２１が挿入され、各鋏片２に対して着脱可能な挿入凹部３２を有している。挿入凹部３２は、鋏片２の係止部２２と係合する被係合部３３を有している。一対の鋏片２の閉時において、互いに当接するように突出する一対の凸部３４が、各柄部３の対向する側に凸部３４を形成することにより形成されている。
【００１７】
各刃部４には、鋏片２の軸心Ｊ側に切刃８側から峰２３側に向かって切り欠かれた、第一の切り欠き部６１が形成され、刃部４の先端４１側に切刃８側から峰２３側に向かって切り欠かれた、第二の切り欠き部６２が形成されている。
【００１８】
各刃部４の第一の切り欠き部６１及び第二の切り欠き部６２以外の部分に、鋏片２の軸心Ｊ側の第一の切断部５１と、刃部４の先端４１側の第二の切断部５２と、形成されている。各第一の切断部５１及び各第二の切断部５２の閉方向側には、切刃８が設けられている。第一の切断部５１の鋏片２の軸心Ｊから刃部４の先端４１に向かう方向の長さは、１０ｍｍに形成されている。第二の切断部５２の第一の切断部５１の鋏片２の軸心Ｊから刃部４の先端４１に向かう方向の長さは、５ｍｍに形成されている。一対の鋏片２が閉時における切刃８間には、隙間Ｓが形成されている。隙間Ｓの間隔は、０．８ｍｍに形成されている。
【００１９】
各刃部４は、鋏片２の峰２３側から見て対向する刃部４側に向かって屈曲する屈曲部９を有している。
【００２０】
屈曲部９より刃部４の先端４１側に形成された各先端部１１は、一対の鋏片２の軸心Ｊ周辺の摺接面１０に沿って平行に延びて形成されている。
【００２１】
各切刃８の刃先８１は、図３に示すように、刃部４の先端４１側から見た断面において同一に設定された傾斜角度α、βを有して両刃に形成されている。頂部Ｔは、一対の鋏片２の閉時において対向した位置に形成されているとともに、刃部４の先端４１側から見た断面において各切刃８を厚さ方向で二分割する中心線Ｃ上に形成されている。
【００２２】
ハサミ１では、各刃部４を、鋏片の峰側から見て対向する刃部４側に向かって屈曲する屈曲部９を有するようにして、一対の刃部４を、一対の鋏片２の開閉方向から見て重なり合うように形成するとともに、刃部４の先端４１側から見た断面において一対の刃部４を、互いに対向するように形成して、一対の鋏片２が閉時において、一対の刃部４間に隙間Ｓを形成している。これにより、一対の刃部４の互いに対向する側が錠剤切断時に平行に近くなるとともに、刃部４が一対の鋏片２の開閉方向から見て重なり合う状態となり、切刃８の進行方向が、刃部４の先端４１側から見た断面において各刃部４を厚さ方向で二分割する中心線Ｃと同一線上又は中心線に沿った線上となる。よって、錠剤を切断する際に切刃８の進行が安定するので、正確な使用量の錠剤を得ることができる。
【００２３】
また、各刃部４に切刃８を形成して、各切刃８の刃先８１を、刃部４の先端４１側から見た断面において、鋭角に形成するともに、各刃先８１の頂部Ｔを一対の鋏片２が閉時において対向した位置に形成するとともに、刃部４の先端４１側から見た断面において各切刃８を厚さ方向で二分割する中心線Ｃ上に形成している。これにより、各切刃８の刃先８１の頂部Ｔの進行方向が、刃部４の先端４１側から見た断面において各切刃８を厚さ方向で二分割する中心線Ｃと、同一線上となるので、錠剤をより正確にカットでき、より正確な使用量の錠剤を得ることができる。
【００２４】
また、各刃部４を、切刃８側から峰２３側に向かって切り欠かれた第一の切り欠き部６１及び第二の切り欠き部６２を有するようにして、刃部８の第一の切り欠き部６１及び第二の切り欠き部６２以外の部分に、錠剤のサイズに応じた大きさに鋏片２の軸心Ｊ側の第一の切断部５１と、刃部４の先端４１側の第二の切断部５２とを形成して、各第一の切断部５１及び各第二の切断部５２の閉方向側に、切刃８を設けている。これにより、錠剤のサイズに応じた適切なカットを可能としている。
【００２５】
また、柄部３を、鋏片に対して着脱可能に形成して、一対の鋏片の閉時において、互いに当接するように突出する一対の凸部３４を、各柄部４の対向する側に凸部３４を形成することにより形成している。これにより、一対の刃部４間の隙間Ｓを確保することができる。また、突出量の違う凸部３４を有した柄部３と交換することで、錠剤のサイズに応じて刃部４間の隙間Ｓを調節可能となる。  
【００２６】
また、各柄部３は、合成樹脂製で鋏片２に対して着脱可能であるので、それぞれ、洗浄、消毒することができ、清潔な状態を保つことができる。
【００２７】
本考案の錠剤カット用ハサミの第２の実施形態について図面に基づいて説明する。第１の実施形態と共通の部材については、同じ符号を付し説明を省略する。
【００２８】
ハサミ１Ａの刃部４Ａは、第１の実施形態における第一の切断部５１と同様な形態の第二の切断部５２Ａを有している。第二の切断部５２Ａの刃部４Ａの先端４１側に連接して切刃８側から峰２３側に向かって切り欠かれた、第三の切り欠き部６３が形成されている。第三の切り欠き部６３の刃部４Ａの先端４１側に連接して、一対の前記鋏片２Ａの閉時において、互いに当接するように突出する一対の突片部４２が、各刃部４Ａの対向する側に４２突片部を形成することにより形成して、一対の刃部４Ａ間の隙間を確保するようにしてもよい。これにともない、第１の実施形態のハサミ１と比べて、ハサミ１Ａの柄部３Ａには、切刃８間の隙間Ｓを調節する一対の凸部３４が設けられていない。
【００２９】
第１の実施形態と、切刃８間の隙間Ｓを調節する部材の位置が異なるのみで同様の効果を奏する。なお、突片部４２に樹脂キャップを被せて隙間Ｓを調節するようにしてもよい。
【００３０】
また、図４（ａ）に示すように、一方の切刃８Ｂを平坦にした台座部８２を設けてもよい。このようにしても、切刃８の刃先８１の頂部Ｔの進行方向が、刃部４の先端４１側から見た断面において切刃８を厚さ方向で二分割する中心線Ｃ１及び切刃８Ｂを刃部４の先端４１側から見た断面において切刃８を厚さ方向で二分割する中心線Ｃ２と、同一線上又は中心線に沿った線上となるので、錠剤を正確にカットでき、正確な使用量の錠剤を得ることができる。また、図４（ｂ）に示すように、分包袋の錠剤が収納される合成樹脂部１５を切刃８１側に配置して、アルミニウム部１６を台座部８２側に配置して、刃先８１を台座部８２側に進行させると、弾性を有する合成樹脂部１５は、刃先８１に押圧され弾性変形して錠剤をカットするが、アルミニウム部１６は、平坦な台座部８２により破れることなく錠剤をカットすることができる。
【００３１】
第一の切断部５１及び第二の切断部５２は、上記の実施形態のものには、こだわらない。錠剤のサイズ、硬さ等に応じて適宜変更することができる。
【００３２】
また、第一の切り欠き部６１及び第二の切り欠き部６２は、各切刃８の刃先８１を平行に近い状態にできるのであれば、上記の実施形態のものには、こだわらない。例えば、半円形状や三角形状に切り欠いてもよい。
【００３３】
また、隙間Ｓは、上記の実施形態では、０．８ｍｍに形成されているが、これにはこだわらない、錠剤の厚みに応じて適宜変更することができる。例えば、錠剤の厚みが２〜４ｍｍであれば、隙間Ｓをその厚みの３０〜４０％程度に形成することにより、より錠剤を正確にカットすることができる。
【００３４】
また、切刃８の刃先８１を片刃にしてもよい。
【符号の説明】
【００３５】
１、１Ａ  錠剤カット用ハサミ
２、２Ａ  鋏片
２３  峰
３、３Ａ  柄部
３４  凸部
４、４Ａ  刃部
４１  先端
４２  突片部
５１  第一の切断部
５２、５２Ａ  第二の切断部
６１  第一の切り欠き部
６２  第二の切り欠き部
６３  第三の切り欠き部
７  軸
８、８Ｂ  切刃
８１  刃先
８２  台座部
９  屈曲部
１０  摺接面
１１  先端部
Ｓ  隙間
Ｔ  頂部
【図１】
0003165560.tif 000003
【図２】
0003165560.tif 000004
【図３】
0003165560.tif 000005
【図４】
0003165560.tif 000006
【図５】
0003165560.tif 000007